(57)【要約】  【課題】  本発明は、スライダ離脱可能な保持具を提供する。  【解決手段】  シュートを備え、かつシュート内に転がり素子が組み付けられる。主に保持具本体を利用してスライダのシュート内に貫設し、さらに保持具本体の両端の何れも当接部を備える設計により、一方の当接部は、受力して湾曲した後、スライダのシュートを通過してスライダの外側に位置制限され、また他方の当接部はスライダの他の外側に位置制限されることによって、保持具本体はスライダのシュート内に貫設するために用いられ、スライダからの転がり素子の脱落を防止できる。そのため、スライドレールから離脱した後も転がり素子が脱落しないように保持できると共に、複数セットのスライダに、それぞれ固定式保持具を取り付けることなく、１セットの保持具を共用することができる。【選択図】  図２
2007016873.tif 000002
【特許請求の範囲】
【請求項１】
スライダ離脱可能な保持具であって、スライダは、シュートを備え、さらにシュート内に転がり素子が組み付けられ、保持具本体は、スライダのシュート内に貫設され、さらに保持具本体の両端の何れも当接部を有し、一方の当接部が受力して湾曲した後、シュートを通過してスライダの外側に位置制限され、他方の当接部は、スライダの他の外側に位置制限されることによって、保持具本体は、スライダのシュートを貫通して位置決め、または離脱するために用いられ、離脱したスライドレールのシュートから転がり素子の脱落を防止できることを特徴とするスライダ離脱可能な保持具。
【請求項２】
前記保持具本体は、他端が固定端部であることを特徴とする請求項１記載のスライダ離脱可能な保持具。
【請求項３】
前記保持具本体は、その両端部の何れも受力湾曲可能な弾性復位の当接部を備えることを特徴とする請求項１記載のスライダ離脱可能な保持具。
【請求項４】
前記保持具本体の両端部は、凹溝を備え、さらに凹溝内に保持具ストッパが組み付けられ、この保持具ストッパに受力湾曲可能な当接部を備えることを特徴とする請求項１記載のスライダ離脱可能な保持具。
【請求項５】
前記保持具本体は、スライダのシュート中の転がり素子に対応して凹状の保持部を成形することによって、スライダからの転がり素子の脱落が防止されることを特徴とする請求項１記載のスライダ離脱可能な保持具。
【発明の詳細な説明】
【技術分野】
【０００１】
本発明は、スライダ離脱可能な保持具に関し、特に、スライダに取り付けたとき、転がり素子の脱落を防止すると同時に、スライダ内に自由離脱できる保持具に関する。
【背景技術】
【０００２】
まず、図１に示すのは、従来のスライダに保持具が組み付けられた実施方式である。主に、スライダ（１１）のシュート（１２）内に上保持具（１３）、二つの中間保持具（１４）及び二つの下保持具（１５）を組み付け、スライダ（１１）に組み付けられた保持具の設計により、転がり素子がスライダ（１１）からの脱落を確実に防止される。しかし、製作、セット付けまたは実際に使用する時に明らかな欠陥を有し下記のように説明する。
【０００３】
その一つは、スライダ（１１）のシュート（１２）に五つの保持具が組み付けられているので、そのセット付プロセスは、精確に配置しなければ完成できず、また必要な技術、設備の必要性が高く、かつセット付け時間もそれに増加されるので、スライダ（１１）のシュート（１２）に組み付けられた保持具の設計は、業者の生産性及びセット付け効率を低下させることになる。
【０００４】
その二つは、前記の上、中間、下保持具（１３）（１４）（１５）の何れの構造も異なっているため、業者が三種類の金具を作成しなければならないので、知らずに業者の金具生産コストを増加する一方である。
【０００５】
その三つは、前記の保持具は、スライダ（１１）のシュート（１２）の後に取り付けられれば、取り外す動作の必要がなくなるので、各保持具は永久にスライダ（１１）のシュート（１２）内に位置決められる。スライダ（１１）はスライドレールに対して摺動変位をする際に、スライダ（１１）内の転がり素子が各保持具に干渉され、スライダ（１１）は常にスライドレール上に順調に摺動変位することができない。
【発明の開示】
【発明が解決しようとする課題】
【０００６】
以上説明を通じて、始めて一種低コストでスライダのために使用する保持具を設計し、かつ転がり素子に対する干渉をなくすものは、現に各メーカ、または考案者が追求しようとする目標であることを理解でき、なお、これも本発明人が追求しようとする目標の一つである。
【０００７】
本発明の主な目的は、製作コストが安価な保持具を提供し、さらにこの保持具は、従来転がり素子の脱落防止効果を維持する他、この保持具は、スライダから離脱自在可能な設計より、スライダがスライドレールに離脱した後も転がり素子から脱落しないように保持される。かつ複数セットのスライダは、それぞれ固定式保持具を取り付けることなく、１セットの保持具を共用することができる。
【課題を解決するための手段】
【０００８】
本発明は、スライダ離脱可能な保持具である。スライダは、シュートを備え、さらにシュート内に転がり素子が組み付けられる。主に保持具本体を前記スライダのシュート内に貫設して、さらに保持具本体の両端の何れにも当接部を有し、一方の当接部が受力して湾曲された後、シュートを通過してスライダの外側に位置制限され、他方の当接部がスライダの他の外側に位置制限されることで、保持具本体は、スライダのシュート中に貫通して位置決められ、また離脱するために提供され、転がり素子は、離脱したスライドレールのスライダ内からの脱落を防止することができる。
【発明の効果】
【０００９】
本発明の保持具は、原来の転がり素子の脱落を防止する効果を有する他、スライダから離脱できる設計により、さらに保持具と転がり素子との干渉問題を回避することができ、スライダがスライドレールへの順調的摺動変位を行うことができる。また、金型生産コストを削減できセット付け効率を低下させることができる。
【発明を実施するための最良の形態】
【００１０】
本発明は、前記目的を達成するために用いられる技術、手段及びその他の効果は、より好ましい実施例を挙げ、図面を合わせて下記のように詳しく説明する。
【実施例】
【００１１】
まず、図２及び図３に示すように、図において、スライダ２０、両エンドカバー３０、両スクレーパ４０、保持具本体５０及び両保持具ストッパ６０から構成される。スライダ２０は、その底部にシュート２１（図４参照）が成形され、このスライダ２０の端部にエンドカバー３０とスクレーパ４０の順に組み付けられる。保持具本体５０は、その両端にそれぞれ凹溝５１を設けられ、この凹溝５１内に位置決め凹部５２が成形されており、この保持具本体５０は、スライド２０のシュート２１内に滑設して、かつ保持具本体５０が対応するシュート２１内の転がり素子には凹状の保持部５３が成形される。保持具ストッパ６０は、２つの受力により湾曲可能な当接部６１及び位置決め凸部６２からなる。この保持具ストッパ６０は、保持具本体５０の凹溝５１内に組み付けられ、さらに保持具ストッパ６０は、位置決め凸部６２により凹溝５１の位置決め凹部５２内に係合して位置決められ（図７参照）、そして保持具ストッパ６０の当接部６１が凹溝５１の溝口外へ突出して該当接部の外縁は円弧状に形成される。
【００１２】
本発明の使用方式及び効果をより明瞭に説明するために、図２、図３及び図５を合わせて参照すると、本発明の保持具本体５０は、スライダ２０のシュート２１に滑設された時、保持具本体５０の凹溝５１上に組み付けられた保持具ストッパ６０が、その当接部６１が受力された後の湾曲特性により、保持具本体５０を滑設してスライダ２０のシュート２１に入る前に、保持具ストッパ６０の当接部６１は、スクレーパ４０の押し付けにより、内縮状態が生じる（即ち、当接部６１が保持具本体５０の凹溝５１内に収縮する。）。この際に、保持具本体５０を滑設してスライダ２０のシュート２１内に順調に入れられ、保持具ストッパ６０の当接部６１が他のスクレーパ４０の押し付け制限から離脱された後まで、保持具ストッパ６０の当接部６１が弾力回復され元の位置に戻される。この保持具本体５０は、その両端にある保持具ストッパ６０の何れもスクレーパ４０の外側（即ち、スライダ２０の両側外）に位置される他、保持具本体５０のスライダ２０のシュート２１からの離脱を受け止めることができる。保持具本体５０の保持部５３は、スライダ２０の転がり素子に対応しているので、保持具本体５０が備えた保持部５３の設計を利用して、転がり素子は、スライダ２０内に位置することが確保され、転がり素子が落下する意外を生じることはない。
【００１３】
また、スライダ２０をスライドレール７０に組み付けようとする場合、まず保持具本体５０とスライドレール７０とを当接してスライダ２０へ押し付け、スライダ２０をスライドレール７０上に順調に滑設させる。この際、保持具本体５０と保持具ストッパ６０がスライダ２０から離脱される。また保持具本体５０とスライドレール７０との当接後、スライドレール７０を利用して保持具本体５０に押し付け、保持具本体５０と保持具ストッパ６０をスライダ２０から離脱して、スライダ２０をスライドレール７０上に順調に滑設することができる。
【００１４】
したがって、スライダ２０がスライドレール７０上に摺動し変位する時、スライダ２０上に従来スライダのような保持具を組み付ける設計（図１参照）の必要がなくなり、従来の保持具と転がり素子との間の干渉問題が解消することができるので、本発明により、スライダ２０がスライドレール７０上に順調に摺動し変位することができる。
【００１５】
他に、本発明に係るスライダ離脱可能な保持具を利用する設計は、保持具本体５０と保持具ストッパ６０とを同時にスライダ２０から離脱させ、取り外した後の保持具本体５０と保持具ストッパ６０は、その他のスライダ２０にも適用できるので、本発明の保持具は、複数セットの同一規格のスライダ２０にも適用して共用でき、従来のように、スライダにそれぞれ固定式保持具を取り付ける必要がなく、本発明は、業者に対してコストを節約する効果を達成することができる。
【００１６】
また、本発明の保持具本体５０及び保持具ストッパ６０は、それぞれ１セットの金具のみで製作できるのに対して、従来のスライダは、三種類の保持具（図１参照）を必要するために、３セットの金具を製造する必要があることが異なっている。よって、本発明が採用する保持具本体５０と保持具ストッパ６０との設計により、業者にコストの支出を節約する効果を有する。
【００１７】
ここで、説明すべきことは、本発明における保持具ストッパ６０の当接部６１は、スライダ２０の転がり素子に対応して凹状の保持部６３が成形され、保持具ストッパ６０が保持部６３により転がり素子に押圧され、順調に、かつ快速にスライダ２０へ貫通することである。
【００１８】
本発明の第１の実施例において、この保持具ストッパ６０は単独的部材で、かつ保持具本体５０の凹溝５１内に組み付けられ、或いは保持具本体５０の凹溝５１から保持具ストッパ６０を取り外すことができる。他に、保持具ストッパ６０及び保持具本体５０を一体的構造としても良い。さらに図９に示すものは、本発明の第２の実施例が提供するスライダ離脱可能なの保持具であって、保持具本体５０の各端部は、何れも二つの受力湾曲可能な当接部５４が形成され、かつ当接部５４の外縁が円弧状に形成される他、当接部５４が受力しない状態では突出して保持具本体５０の外部に延出している。
【００１９】
図１０を合わせて参照すると、本発明におけるスライダ離脱可能な保持具の第３の実施例であって、第２の実施例と異なる部分は次の通りである。保持具本体５０の端部に接近した両側縁部は、それぞれ固定当接部５５が成形され、保持具本体５０がスライダ２０に組み付けられたとき、受力湾曲可能な当接部５４の一端は、先にスライダ２０内に滑設してスライダの他端から復位することになる。
【産業上の利用可能性】
【００２０】
転がり素子の脱落防止ならびにスライダ内の自由離脱を必要とするスライダに適用できる。
【図面の簡単な説明】
【００２１】
【図１】従来のスライダに組み付けた保持具の局部断面図。
【図２】本発明の分解斜視図。
【図３】本発明の組合せた状態を示す斜視図。
【図４】本発明の保持具とスライダとを組合せた後の状態を示す側面図。
【図５】本発明の組合せた後の状態を示す正面図。
【図６】本発明の組合せた後の状態を示す側面図。
【図７】本発明の保持具本体と保持具ストッパとの組合せ状態を示す図。
【図８】本発明の使用状態を示す斜視図。
【図９】本発明の保持具の第２の実施例の平面図。
【図１０】本発明の保持具の第３の実施例の平面図。
【符号の説明】
【００２２】
１１    スライダ                      １２    シュート
１３    上保持具                      １４    中間保持具
１５    下保持具
２０    スライダ                      ２１    シュート
３０    エンドカバー                  ４０    スクレーパ
５０    保持具本体                    ５１    凹溝
５２    位置決め凹部                  ５３    保持部
５４    ストッパ                      ５５    固定当接部
６０    保持具ストッパ                ６１    当接部
６２    位置決め凸部                  ６３    保持部
７０    スライドレール
【図１】
2007016873.tif 000003
【図２】
2007016873.tif 000004
【図３】
2007016873.tif 000005
【図４】
2007016873.tif 000006
【図５】
2007016873.tif 000007
【図６】
2007016873.tif 000008
【図７】
2007016873.tif 000009
【図８】
2007016873.tif 000010
【図９】
2007016873.tif 000011
【図１０】
2007016873.tif 000012